(57)【要約】【課題】調理バスケットの上部に大きな開口を維持しながら所要の調理油の容積を減じ、かつ調理油からの揚げ屑を有効に流し去るために下部により小さなチャネルを提供する、フライヤーポットを提供する。【解決手段】ディープフライヤーのためのフライヤーポット１００において、１対の向き合った側壁１２０，１２５と、１対の向き合った端壁と、底壁とが設けられており、１対の向き合った側壁のそれぞれが、３つの連続した垂直部分１２０ａ，１２０ｂ，１２０ｃ，１２５ａ，１２５ｂ，１２５ｃを有しており、１対の向き合った側壁のそれぞれの、３つの連続した垂直部分のそれぞれが、前の垂直部分よりも内側に配置されており、これにより、フライヤーポットを底壁に向かって次第に狭めている。【選択図】図３
2009018168.tif 000002
【特許請求の範囲】
【請求項１】
ディープフライヤーのためのフライヤーポットにおいて、
１対の向き合った側壁と、１対の向き合った端壁と、底壁とが設けられており、
前記１対の向き合った側壁のそれぞれが、３つの連続した垂直部分を有しており、
前記１対の向き合った側壁のそれぞれの、前記３つの連続した垂直部分のそれぞれが、前の垂直部分よりも内側に配置されており、これにより、前記フライヤーポットを前記底壁に向かって次第に狭めていることを特徴とする、ディープフライヤーのためのフライヤーポット。
【請求項２】
前記１対の向き合った端壁のそれぞれが、前記フライヤーポットを前記底壁に向かって次第に狭めるように構成された２つの垂直部分を有する、請求項１記載のフライヤーポット。
【請求項３】
前記３つの連続する垂直部分のそれぞれが、少なくとも１つの傾斜した段状部によって、前記３つの連続する垂直部分のうちの別の垂直部分に結合されている、請求項１記載のフライヤーポット。
【請求項４】
前記１対の向き合った端壁のそれぞれの、前記２つの垂直部分のそれぞれが、前記フライヤーポットを前記底壁に向かって次第に狭めるように、傾斜した段状部によって互いに結合されている、請求項２記載のフライヤーポット。
【請求項５】
前記１対の向き合った側壁と、前記向き合った端壁とが、狭められた部分を形成するように前記底壁に結合されており、前記狭められた部分が１対のバーナの間に配置されている、請求項１記載のフライヤーポット。
【請求項６】
前記１対の端壁のうちの１つが、前壁であり、該前壁がさらに直立管を有する、請求項２記載のフライヤーポット。
【請求項７】
前記直立管がさらに、前記フライヤーポットにおける調理油からの所定の圧力を検出することができる圧力スイッチを有する、請求項６記載のフライヤーポット。
【請求項８】
ディープフライヤーに操作的に関連した制御装置が、前記フライヤーポットにおける調理油からの前記所定の圧力を検出した後に１対のバーナを作動させることができる、請求項７記載のフライヤーポット。
【請求項９】
前記バーナが、開放したポット構成を維持するために前記フライヤーポットの外部に配置されている、請求項５記載のフライヤーポット。
【請求項１０】
ディープフライヤーのためのフライヤーポットにおいて、
１対の向き合った端壁と、１対の向き合った側壁と、底壁とが設けられており、
前記１対の向き合った端壁のそれぞれが、前記フライヤーポットの容積を減じるために、傾斜した段状部によって互いに結合された、第１の垂直部分と第２の垂直部分とを有することを特徴とする、ディープフライヤーのためのフライヤーポット。
【請求項１１】
前記１対の向き合った側壁のそれぞれがさらに、３つの連続した垂直部分を有しており、前記３つの連続した垂直部分のそれぞれが、前の垂直部分よりも内側に配置されており、これにより、前記１対の向き合った側壁のそれぞれを前記底壁に向かって次第に狭めている、請求項１０記載のフライヤーポット。
【請求項１２】
前記１対の向き合った端壁のそれぞれの、前記第１の垂直部分と前記第２の垂直部分とが、前記１対の端壁のそれぞれを前記底壁に向かって次第に狭めるように構成されている、請求項１０記載のフライヤーポット。
【請求項１３】
前記１対の側壁のそれぞれの、前記３つの連続する垂直部分が、少なくとも１つの傾斜した段状部によって、前記側壁の前記３つの連続する垂直部分のうちの別の垂直部分に結合されている、請求項１１記載のフライヤーポット。
【請求項１４】
前記１対の向き合った側壁と、前記向き合った端壁とが、狭められた部分を形成するように前記底壁に結合されており、前記狭められた部分が１対のバーナの間に配置されている、請求項１０記載のフライヤーポット。
【請求項１５】
前記１対の端壁のうちの１つが前壁であり、該前壁がさらに直立管を有する、請求項１０記載のフライヤーポット。
【請求項１６】
前記直立管がさらに、フライヤーポットにおける調理油からの所定の圧力を検出することができる圧力スイッチを有する、請求項１４記載のフライヤーポット。
【請求項１７】
ディープフライヤーに操作的に関連した制御装置が、加熱を開始するために調理油からの所定の圧力を検出した後に１対のバーナを作動させることができる、請求項１６記載のフライヤーポット。
【請求項１８】
前記１対のバーナが、開放したポット構成を維持するために、前記フライヤーポットの外部に配置されている、請求項１４記載のフライヤーポット。
【請求項１９】
ディープフライヤーのためのフライヤーポットにおいて、
１対の向き合った側壁が設けられており、該１対の側壁のそれぞれが３つの部分を有しており、
１対の向き合った端壁が設けられており、該１対の端壁のそれぞれが２つの垂直部分を有しており、
底壁が設けられており、
前記１対の側壁と、前記１対の端壁とが、減じられた容積を有する次第に狭まったフライヤーポットを形成するように前記底壁に結合されていることを特徴とする、ディープフライヤーのためのフライヤーポット。
【請求項２０】
前記１対の向き合った側壁のそれぞれがさらに、３つの連続する垂直部分を有しており、該３つの連続する垂直部分のそれぞれが、前の垂直部分よりも内側に配置されており、これにより、前記１対の向き合った外側側壁のそれぞれを前記底壁に向かって次第に狭めている、請求項１９記載のフライヤーポット。
【請求項２１】
前記１対の端壁のそれぞれの、前記第１の垂直部分と前記第２の垂直部分とが、前記１対の端壁のそれぞれを前記底壁に向かって次第に狭めるように構成されている、請求項１９記載のフライヤーポット。
【請求項２２】
前記１対の側壁のそれぞれの、前記３つの連続する垂直部分が、少なくとも１つの傾斜した段状部によって、前記側壁の前記３つの連続する垂直部分のうちの別の垂直部分に結合されている、請求項１９記載のフライヤーポット。
【請求項２３】
前記１対の向き合った側壁と、前記向き合った端壁とが、狭められた部分を形成するように前記底壁に結合されており、前記狭められた部分が１対のバーナの間に配置されている、請求項１０記載のフライヤーポット。
【請求項２４】
前記１対の端壁の１つが前壁であり、該前壁が直立管を有する、請求項１９記載のフライヤーポット。
【請求項２５】
前記直立管が、フライヤーポットにおける調理油からの所定の圧力を検出することができる圧力スイッチを有する、請求項２４記載のフライヤーポット。
【請求項２６】
ディープフライヤーに操作的に関連した制御装置が、加熱を開始するために、前記調理油からの前記所定の圧力を検出した後に１対のバーナを作動させることができる、請求項２５記載のフライヤーポット。
【請求項２７】
前記１対のバーナが、開放したポット構成を維持するために前記フライヤーポットの外部に配置されている、請求項２３記載のフライヤーポット。
【発明の詳細な説明】
【技術分野】
【０００１】
本出願は、２００７年７月１２日に出願された米国特許仮出願第６０／９５９２５９号明細書の利益を請求し、その内容は引用したことにより本明細書に記載されたものとする。
【０００２】
本発明は、ガスフライヤーのためのフライヤーポットに関する。特に、本発明は、低い油容積（ＬＯＶ）構成を有するガスフライヤーのためのフライヤーポットに関する。より具体的には、本発明は、揚げ屑が保持される狭められた領域を提供する低い油容積構成を有するガスフライヤーのためのフライヤーポットに関する。
【背景技術】
【０００３】
商業的な調理産業において使用されるディープフライヤーは、顧客の期待に応えるために、迅速に油を加熱し、大量の食品を調理することができなければならない。さらに、調理油は、その使用寿命を延長するために、調理プロセス中にできるだけ揚げ屑がないようにしなければならない。しかしながら、販売者は、顧客の期待を、調理油及びフライヤーポットメンテナンス問題の高いコストと平衡させなければならない。
【０００４】
全体的な調理効率及び耐用寿命を改善するために、様々な設計のフライヤーポットが開発されたが、欠点が依然として存在する。大量の食品における迅速な食品準備を重視することにより、既存のフライヤーポットは極めて大きく、調理プロセスのための大きな容積の油を必要とする。大きな容積のフライヤーポットは、大きな熱伝導容積、低温領域容積、フライヤーポットの壁部における誘発される応力の可能性を示す温度勾配を生じる。フライヤーポットの壁部における応力は、フライヤーポットに入れられた大きな容積の油の重量により、圧力に関連した応力によって悪化される。
【発明の開示】
【発明が解決しようとする課題】
【０００５】
したがって、調理バスケットの上部に大きな開口を維持しながら所要の調理油の容積を減じ、かつ調理油からの揚げ屑を有効に流し去るために下部により小さなチャネルを提供する、フライヤーポットが必要とされている。
【課題を解決するための手段】
【０００６】
この開示は、容積が約４０％減じられ、バスケット開口寸法が実質的に維持されている、減じられたポット容積を有するフライヤーポットを提供する。
【０００７】
この開示は、内部熱交換器チューブ又はキャビティを備えない、全ての内面が容易にアクセス可能である、開放したポット構成を有するフライヤーポットをも提供する。
【０００８】
この開示は、減じられた熱伝導及び低温領域を有し、これにより、フライヤーポット壁部において膨張により誘発される応力を低減するフライヤーポットをも提供する。
【０００９】
この開示はさらに、段状部を有する側壁と、前壁と、後壁と、端壁とを有し、これにより、フライヤーポットの容積を減じるフライヤーポットを提供する。
【００１０】
この開示はさらに、段状部を有する側壁と、前壁と、後壁と、端壁とを有し、これにより、フライヤーポットの底部における低温領域を減じるフライヤーポットを提供する。
【００１１】
この開示はさらに、油の温度勾配を減じるために、及び揚げ屑が収集され調理油に再循環されることができない領域を形成するために、減じられた容積の低温領域を有するフライヤーポットを提供する。
【００１２】
この開示はさらに、バーナ作動のための十分な油レベルの指示を提供するために、フライヤーポットの表面に圧力スイッチを提供する。
【００１３】
この開示はさらに、サービスにおける破壊の可能性を低減するために、フライヤーポットの壁部における膨張により誘発される応力を減じるために、垂直の熱伝導容積に亘って、減じられた温度勾配を提供する。
【００１４】
これらの及びその他の利益及び利点は、１対の向き合った側壁と、１対の向き合った端壁及び底壁とを有するディープフライヤーのためのフライヤーポットによって達成される。１対の向き合った側壁のそれぞれは、３つの連続した垂直部分を有する。１対の向き合った側壁のそれぞれの、３つの連続する垂直部分のそれぞれは、前の垂直部分よりも内側に配置されており、これにより、底壁に向かってフライヤーポットを次第に狭めている。
【００１５】
１対の向き合った端壁と、１対の向き合った側壁と、底壁とを有する、ディープフライヤーのためのフライヤーポット。１対の向き合った端壁のそれぞれは、フライヤーポットの容積を減じるために、傾斜したオフセット部分によってそれぞれが結合された第１の垂直部分と第２の垂直部分とを有する。
【００１６】
１対の向き合った側壁を有するディープフライヤーのためのフライヤーポットにおいて、１対の側壁のそれぞれは３つの部分を有する。フライヤーポットはさらに、１対の向き合った端壁を提供し、１対の端壁のそれぞれは２つの垂直部分を有する。フライヤーポットはさらに底壁を提供し、１対の側壁及び１対の端壁は、減じられた容積を有する次第に狭まったフライヤーポットを形成するために、底壁に結合されている。
【００１７】
その開示のその他の利益、利点及び特徴は、添付の図面に関連した以下の明細書を参照することによって理解され、図面において同じ参照符号は構造の同じエレメントを示している。
【発明を実施するための最良の形態】
【００１８】
図１及び図２を参照すると、特に食品のフライ揚げに適応された従来の慣用的な調理装置が示されている。示された装置は概して符号１０によって示されており、ファーストフード店及びその他の食品サービス施設等において商業的な調理目的のために使用される形式ものとである。装置１０は、フライヤーポットアセンブリ２０のための包囲体を形成する、概して矩形の、絶縁されていない金属のキャビネット１５を有する。フライヤーポットアセンブリ２０は、キャビネット１５に取外し可能に挿入され、上壁２５によって適切に支持されるように適応されている。フライヤーポットアセンブリ２０は、向き合った側壁３０と、向き合った前壁３３及び後壁３５を有している。前壁３３は、フライヤーポットアセンブリ２０の前縁よりも内側に位置している。後壁３５は、この後壁の長さに沿って実質的に垂直である。向き合った側壁３０は、使用中に調理屑の循環を低減するために、低温領域と呼ばれる比較的狭いチャンバ５５を形成した下側垂直部分４５及び５０を有する。側壁３０と、前壁３３と、後壁３５とを含む４つの壁部は、フライヤーバスケットを収容するように寸法決めされた開口を形成している。キャビネット１５には、フライヤーポットアセンブリ２０の向き合った側におけるバーナ４０も収容されている。
【００１９】
上述の従来のフライヤーポットアセンブリ２０は一般的に使用されているが、幾つかの欠点を有する。フライヤーポットアセンブリ２０は、約５０ポンドの調理油を保持するように寸法決めされている。フライヤーポットアセンブリは、フライヤーバスケットによって占められた調理領域を充満するように、ポットにおける比較的高いレベルまで充填されなければならない。したがって、フライヤーポットアセンブリ２０は、大きな容量の油が使用されることを必要とする。さらに、油のこのような容量は、熱勾配による熱膨張により誘発される応力のみならず、フライヤーポットアセンブリ２０内に収容された油の重量による応力をも生じる。油自体における高い熱勾配もさらに、油の耐用寿命を制限する。比較的狭いが大きな低温領域は調理プロセスから揚げ屑を収集するが、バスケットの挿入及び取出しが揚げ屑が調理油内へ再循環されるのを妨げることほど制限されていない。したがって、揚げ屑による繰り返された劣化により調理油の耐用寿命が減じられる。
【００２０】
図３及び図４を参照すると、本発明のディープフライヤーアセンブリが示されており、概して参照符号９５で示されている。ディープフライヤーアセンブリ９５は、絶縁されていない金属のキャビネット１０５に収容されたフライヤーポット１００を有する。フライヤーポット１００は、キャビネット１０５に取外し可能に挿入されかつ上壁１１０によって適切に支持されるように適応されている。フライヤーポットアセンブリは、キャビネット１０５内に収容されたフライヤーポット１００の向き合った側におけるバーナ１１５をも有する。フライヤーポットの外側にバーナ１１５を有することにより、全体的な開放したポット構成が維持されている。慣用のフライヤーポットはしばしば、フライヤーポットの調理油内に浸漬された熱交換器チューブを備えて構成されている。全体的なフライヤーポット操作は、制御装置を有する制御システムによって維持されている。
【００２１】
フライヤーポット１００は、図１及び図２に示された慣用のフライヤーポットと同様の、向き合った側壁１２０及び１２５を有している。しかしながら、側壁１２０及び１２５はそれぞれ、３つの垂直部分１２０ａ，１２０ｂ，１２０ｃと１２５ａ，１２５ｂ，１２５ｃとを有している。側壁１２０及び１２５は段状部１２０ｄ，１２０ｅと１２５ｄ，１２５ｅとを有する。段状部１２０ｄ，１２０ｅ，１２５ｄ，１２５ｅは、フライヤーポット１００の全体の幅を減じている。側壁１２０及び１２５は、使用中の調理屑の循環を減じるために、比較的狭いチャンバ１３０又は低温領域を形成している。段状部１２０ｄ，１２０ｅ，１２５ｄ，１２５ｅのために、低温領域１３０の幅は、慣用のフライヤーポットアセンブリ２０の低温領域よりも狭い。したがって、揚げ屑は、より効果的に低温領域１３０に捕捉され、容易に流し去られ、使用中に容易に再循環されることはできない。
【００２２】
図４を参照すると、フライヤーポット１００は、１対の端壁と、前壁１４０と、後壁１４５とを有する。前壁１４０は、図１及び図２に示された慣用のフライヤーポットの前壁と同様であるが、前壁１４０は、前壁３３がキャビネット１５に対してより内側に配置されているよりもさらにキャビネット１０５の前部に対して内側に配置されている。後壁１４５は２つの垂直部分１４５ａ及び１４５ｂを有する。垂直部分１４５ａ及び１４５ｂは、これらの垂直部分に対して傾斜した段状部１５０によって結合されている。段状部１５０は、内側に配置された前壁１４０と共に、前方及び後方からのフライヤーポット１００の奥行きを減じている。したがって、フライヤーポット１００の壁部は、より小さな容積のポットを形成するように段差が付けられているのに対し、フライヤーバスケットのための通過は、適切な操作を妨げるように十分に減じられていない。さらに、フライヤーポット１００の両側から形成されたより小さな低温領域１３０は、フライヤーポット１００の低温領域１３０と調理領域との間の熱勾配を減じる。より小さな低温領域は、ポット壁部に沿って生ぜしめられる熱応力を減じる。
【００２３】
さらに、フライヤーポット１００は、バーナ１１５を作動させるためにフライヤーポット１００に十分な油が存在する時を決定するための圧力スイッチセンサを有する。フライヤーポット１００は、前壁１４０において直立管１６０を有する。直立管１６０は圧力スイッチ１６５を有しており、この圧力スイッチは、フィルタシーケンスの後に再充填の間に管の下側開口よりも油が上昇した後に圧力を形成するように位置決めされている。油が、熱伝達領域をカバーするように十分に深くなると、圧力スイッチ１６５は、安全にバーナ１１５を作動させることができるという信号を制御装置に送る。直立管１６０は、測定された圧力が約５〜８水柱インチであるように位置決めされており、これにより、標準的な工業用センサによって容易に検出されるが、調理中に食品落下が直立管の作動に影響しないように十分な高さに直立管が配置されることができる。
【００２４】
本発明はこのように、発明の好適な形式を特に引用して説明されているが、開示に規定されたような本発明の精神及び範囲から逸脱することなく、好適な形式に様々な変更が加えられることができることは明らかである。
【図面の簡単な説明】
【００２５】
【図１】従来のフライヤーポットの前方断面図である。
【図２】図１の従来のフライヤーポットの右側図である。
【図３】本発明によるフライヤーポットの前方断面図である。
【図４】本発明による図３のフライヤーポットの側方断面図である。
【符号の説明】
【００２６】
１０  装置、  １５  キャビネット、  ２０  フライヤーポットアセンブリ、  ２５  上壁、  ３０  側壁、  ３３  前壁、  ３５  後壁、  ４０  バーナ、  ４５，５０  垂直部分、  ９５  フライ揚げ器アセンブリ、  １００  フライヤーポット、  １０５  キャビネット、  １１５  バーナ、  １２０，１２５  側壁、  １２０ａ，１２０ｂ，１２０ｃ，１２５ａ，１２５ｂ，１２５ｃ  垂直部分、  １２０ｄ，１２０ｅ，１２５ｄ，１２５ｅ  段状部、１３０  低温領域、  １４０  前壁、  １４５  後壁、  １５０  段状部、  １６０  直立管、  １６５  圧力スイッチ
【図１】
2009018168.tif 000003
【図２】
2009018168.tif 000004
【図３】
2009018168.tif 000005
【図４】
2009018168.tif 000006
【外国語明細書】
2009018168.tif 000007
2009018168.tif 000008
2009018168.tif 000009
2009018168.tif 000010
2009018168.tif 000011
2009018168.tif 000012
2009018168.tif 000013
2009018168.tif 000014
2009018168.tif 000015
2009018168.tif 000016
2009018168.tif 000017
2009018168.tif 000018
2009018168.tif 000019
2009018168.tif 000020
2009018168.tif 000021
2009018168.tif 000022
2009018168.tif 000023